(57)【要約】【課題】            臭気や騒音を低減すると共に煤の発生を抑えることのできる給湯機の制御装置に関する。【解決手段】  缶体１内にバーナ２で発生した燃焼ガスが送られる燃焼室３と燃焼ガス流路４壁を熱交換部とする熱交換器５を設け、缶体１に取付けた湯温センサ６が燃焼開始温度を検出時にバーナ２に燃焼開始信号を出力し、燃焼停止温度を検出時に燃焼停止信号を出力する制御手段７を備える。制御手段７の燃焼開始信号でカウント開始し燃焼停止信号で停止するタイマ手段８と、タイマ手段８のカウント時間が所定時間以下のときにカウント加算するカウンタ手段９とを設けると共に、タイマ手段８のカウント時間が所定時間以上のときにカウンタ手段９をリセットするリセット手段１０と、カウンタ手段９のカウント数が所定回数となったときにバーナ２の燃焼開始温度を低く、燃焼停止温度を高く変更する温度補正手段１１とを設けたものである。【選択図】        図１
2009109112.tif 000002
【特許請求の範囲】
【請求項１】
缶体（１）内に熱源となるバーナ（２）と、バーナ（２）で発生した燃焼ガスが送られる燃焼室（３）と、燃焼室（３）壁もしくは燃焼室（３）に続く燃焼ガス流路（４）壁を熱交換部とする熱交換器（５）とを設けると共に、
前記缶体（１）の側壁に取り付けた湯温センサ（６）と、該湯温センサ（６）の検出データに基づいて前記バーナ（２）の運転を制御する制御手段（７）とを設け、
該制御手段（７）は湯温センサ（６）が燃焼開始温度を検出時にバーナ（２）に燃焼開始信号を出力し、湯温センサ（６）が燃焼停止温度を検出時にバーナ（２）に燃焼停止信号を出力して、缶体（１）内の湯温を設定温度に維持する給湯機において、
前記制御手段（７）の燃焼開始信号でカウント開始して燃焼停止信号で停止するタイマ手段（８）と、該タイマ手段（８）のカウント時間が所定時間以下のときにカウント加算するカウンタ手段（９）と、タイマ手段（８）のカウント時間が所定時間以上のときにカウンタ手段（９）をリセットするリセット手段（１０）と、
前記カウンタ手段（９）のカウント数が所定回数となったときにバーナ２の燃焼開始温度を低く、燃焼停止温度を高く変更する温度補正手段（１１）とを備えたことを特徴とする給湯機の制御装置。
【請求項２】
前記制御手段（７）が燃焼停止信号を出力する前に前記タイマ手段（８）が設定時間をカウントしたときは、バーナ（２）に燃焼停止信号を出力すると共に
燃焼停止信号の出力から一定時間は燃焼開始信号を出力しないキャンセル手段（１２）を設けたことを特徴とする請求項１記載の給湯機の制御装置。
【請求項３】
前記缶体（１）の側壁には循環パイプ（１３）を介して放熱器（１４）を取り付け、該循環パイプ（１３）には循環ポンプ（１５）を取り付けて温水の循環回路を構成していることを特徴とする請求項１または２に記載の給湯機の制御装置。
【請求項４】
前記缶体（１）の側壁には循環パイプ（１３）を介して放熱器（１４）を取り付け、該循環パイプ（１３）には循環ポンプ（１５）を取り付けて温水の循環回路を構成しており、
前記制御手段（７）が燃焼停止信号を出力する前に前記タイマ手段（８）が設定時間をカウントしたときは前記循環ポンプ（１５）を停止し、
循環ポンプ（１５）の停止後に湯温センサ（６）が燃焼停止温度を検出して燃焼停止信号を出力するときに循環ポンプ（１５）の運転を再開することを特徴とする請求項１記載の給湯機の制御装置。
【発明の詳細な説明】
【技術分野】
【０００１】
この発明は温水の循環回路を備えた給湯機の制御装置に関するものである。
【背景技術】
【０００２】
給湯機の缶体内部には熱源となるバーナと、バーナで発生した燃焼ガスが送られる熱交換器を備えており、熱交換器はバーナが取付けられる燃焼室の壁面と、燃焼室に接続した燃焼ガス流路を熱交換部としている。バーナが燃焼すると発生する燃焼炎と燃焼ガスが燃焼室に送られ、高温の燃焼ガスは燃焼ガス流路を経て排出され、このとき熱交換器に貯えられた水が加熱される。
【０００３】
缶体に循環パイプを介して放熱器を連結し、循環パイプに取付けた循環ポンプが運転すると、缶体の熱交換器に貯えられた温水が循環パイプを介して放熱器に送られ、放熱器で放熱して温度を低下した温水が缶体に戻り、再び缶体内で加熱されて温水となって放熱器に送られる循環回路を構成している。このとき湯温センサによって缶体内の湯温を監視しており、缶体内の湯温が低下して湯温センサが燃焼開始温度を検出するとバーナの燃焼を開始し、缶体内の湯温が上昇して湯温センサが燃焼停止温度を検出するとバーナの燃焼を停止して缶体内の温水が設定温度となるように維持している。
【特許文献１】特開昭６１−２１３４２２号  公報
【発明の開示】
【発明が解決しようとする課題】
【０００４】
放熱器を接続して循環回路を構成しているものは、給湯機に接続した循環パイプを途中で分岐して放熱器を複数台接続することができるものであり、複数台のうち１台だけ運転したり、複数台同時に運転したり、放熱器側で出力を変更できるようになっている。
【０００５】
このように運転する放熱器の台数や出力の変更によって放熱器側の放熱量が変化するが、給湯機は放熱器側の放熱量とは関係なく設定温度と缶体内の湯温に基づいてバーナの燃焼を制御しているため、放熱器を１台だけ運転するときや放熱器の出力を下げて運転するときには放熱量が低下し、缶体に戻る温水の湯温の低下が起こりにくくなるため、缶体の湯温がすぐに燃焼停止温度まで上昇し、バーナが燃焼を開始してから停止するまでの時間が非常に短くなってしまうものであり、短時間の間にバーナの点火と消火が繰り返されるため騒音や臭気の発生が増加し、燃焼室や熱交換器内には煤が発生しやすくなる問題がある。
【０００６】
一方、放熱器を複数台接続して同時に運転するときや、気温の低いときには放熱器側の放熱量が増加し、給湯機の能力以上の負荷がかかることがあり、このような場合は缶体内の湯温を上昇できないままバーナが長時間燃焼を続けることがあり、バーナが長時間燃焼を続けると燃焼室内の同じ箇所にバーナの燃焼炎があたり続け、燃焼室内の燃焼炎があたる部分に煤が堆積しやすくなり、煤の付着によってバーナの燃焼状態が悪化し、短期間でバーナのメンテナンスが必要となってしまう問題があった。
【課題を解決するための手段】
【０００７】
この発明は上記の課題を解決するもので、缶体１内に熱源となるバーナ２と、バーナ２で発生した燃焼ガスが送られる燃焼室３と、燃焼室３壁もしくは燃焼室３に続く燃焼ガス流路４壁を熱交換部とする熱交換器５とを設けると共に、前記缶体１の側壁に取り付けた湯温センサ６と、該湯温センサ６の検出データに基づいて前記バーナ２の運転を制御する制御手段７とを設け、該制御手段７は湯温センサ６が燃焼開始温度を検出時にバーナ２に燃焼開始信号を出力し、湯温センサ６が燃焼停止温度を検出時にバーナ２に燃焼停止信号を出力して、缶体１内の湯温を設定温度に維持する給湯機において、前記制御手段７の燃焼開始信号でカウント開始して燃焼停止信号で停止するタイマ手段８と、該タイマ手段８のカウント時間が所定時間以下のときにカウント加算するカウンタ手段９と、タイマ手段８のカウント時間が所定時間以上のときにカウンタ手段９をリセットするリセット手段１０と、前記カウンタ手段９のカウント数が所定回数となったときにバーナ２の燃焼開始温度を低く、燃焼停止温度を高く変更する温度補正手段１１とを備えたことを特徴とする。
【０００８】
また、制御手段７が燃焼停止信号を出力する前に前記タイマ手段８が設定時間をカウントしたときは、バーナ２に燃焼停止信号を出力すると共に燃焼停止信号の出力から一定時間は燃焼開始信号を出力しないキャンセル手段１２を設けたことによって、燃焼室内の同じ部分にバーナの燃焼炎が長時間あたり続けることを防いで燃焼室内の煤の堆積を防ぐことができる。
【０００９】
また、缶体１の側壁には循環パイプ１３を介して放熱器１４を取り付け、該循環パイプ１３には循環ポンプ１５を取り付けて温水の循環回路を構成しているときは、放熱器１４側の出力に応じてバーナの燃焼制御を行うことで、バーナの負担を低減することができる。
【００１０】
また、缶体１の側壁には循環パイプ１３を介して放熱器１４を取り付け、該循環パイプ１３には循環ポンプ１５を取り付けて温水の循環回路を構成しており、前記制御手段７が燃焼停止信号を出力する前に前記タイマ手段８が設定時間をカウントしたときは前記循環ポンプ１５を停止し、循環ポンプ１５の停止後に湯温センサ６が燃焼停止温度を検出して燃焼停止信号を出力するときに循環ポンプ１５の運転を再開することによって、缶体１内の湯温が上昇してからバーナ２の燃焼が停止するので、循環ポンプ１５の運転再開後は放熱器に設定温度の温水を送ることができる。
【発明の効果】
【００１１】
この発明は、バーナ２の燃焼時間をタイマ手段８によってカウントし、タイマ手段８のカウント時間が所定時間以下のときにカウンタ手段９のカウント加算し、バーナ２が短時間の間に連続して燃焼と停止を繰り返してカウンタ手段９が所定回数になったときには、温度補正手段１１によってバーナ２の燃焼開始温度を低く、燃焼停止温度を高く変更するものであり、バーナ２の燃焼開始から燃焼停止までの温度幅を広げることで、バーナ２の燃焼時間を通常よりも長くすることができ、バーナ２の燃焼・停止の回数を少なくすることができるから、点火・消火時の騒音や臭気の発生を抑えることができるようになった。
【００１２】
また、タイマ手段８は制御手段７の燃焼開始信号でカウントを開始し燃焼停止信号でカウントを停止するが、制御手段７が燃焼停止信号を出力する前にタイマ手段８が設定時間をカウントしたときは、キャンセル手段１２が作動してバーナ２に燃焼停止信号を出力すると共に、キャンセル手段１２が作動する一定時間の間は湯温センサ６が燃焼開始温度を検出しても燃焼開始信号を出力しない構成となっている。このため、バーナ２が設定時間まで燃焼を続けたときは一時的にバーナ２の燃焼を停止することで、バーナ２の燃焼炎が長時間にわたって燃焼室３内の同じ箇所にあたり続けることがなくなるから、燃焼室３内の一部分だけに多量の煤が付着することがなくなり、長時間使用してもバーナ２が安定した燃焼状態を維持できるものとなった。
【００１３】
また、放熱器１４の放熱量の変化に対して、制御手段７による給湯機側の燃焼制御によって対応するものであるから、缶体１に接続する放熱器の種類が変わっても容易に対応できるものである。
【００１４】
また、缶体１に放熱器１４を接続して循環回路を構成しているときにおいて、バーナ２が設定時間を超えて燃焼し続けるときは、放熱器１４側の出力に対して給湯機の能力が不足しているときであるから、タイマ手段８のカウント時間が設定時間になったときは循環ポンプ１５の運転を停止することで缶体１内の湯温を上昇させ、湯温センサ６が燃焼停止温度検出時にバーナに燃焼停止信号を出力すると共に、循環ポンプ１５の運転を再開する構成としたものであり、循環ポンプ１５が運転を再開すると燃焼停止温度まで上昇した缶体１内の高温水が放熱器１４に送られ、放熱器１４から放熱後の低温水が戻ればバーナ２が燃焼を開始するので、バーナ２が一時的に燃焼を停止して燃焼室３内の煤の付着を防止すると共に、放熱器１４に送られる温水の温度を上昇させて給湯機の能力不足を解消できるものとなった。
【発明を実施するための最良の形態】
【００１５】
図に示す実施例によってこの発明を説明すると、２は給湯機の熱源となるバーナ、５は該バーナ２の燃焼熱で水の加熱を行う熱交換器、１は熱交換器５を構成する筒状の缶体、３は缶体１の下部内側に配置したバーナ２の燃焼ガスが送られる燃焼室、１６は缶体１の上部に配置した排気ガス室、４は燃焼室３と排気ガス室１６の間に取付けた燃焼ガス流路、１７は排気ガス室１６に接続する排気筒であり、バーナ２を運転すると燃焼炎と燃焼ガスが燃焼室３に送られ、燃焼ガスは燃焼ガス流路４を経て排気ガス室１６に送られ、排気筒１７から排出される。
【００１６】
１８は燃焼室３壁および燃焼ガス流路４壁を熱交換部とする熱交換器５を構成する水室、６は缶体１の側壁に設けた湯温センサ、７はバーナ２に燃焼の開始や停止の指令を出す制御手段、１９は出湯温度を設定する温度設定手段であり、温度設定手段１９の設定温度によってバーナ２の燃焼開始温度と燃焼停止温度が設定されており、湯温センサ６が燃焼開始温度を検出するとバーナ２へ燃焼停止信号を出力し、湯温センサ６が燃焼停止温度を検出するとバーナ２へ燃焼停止信号を出力することで、水室１８の水が温度設定手段１９で設定された湯温となるように沸き上げる。
【００１７】
１３ａは缶体１の上部側壁に接続した往き管、１３ｂは缶体１の下部側壁に接続した戻り管、１３は往き管１３ａと戻り管１３ｂとで構成する循環パイプ、１４は往き管１３ａと戻り管１３ｂを介して熱交換器５と連結する放熱器である。１５は往き管１３ａの途中に取り付けた循環ポンプであり、循環ポンプ１５が駆動すると水室１８の温水が往き管１２ａから放熱器１４に送られ、放熱器１４で熱量を放出して温度を低下した水が戻り管１３ｂから水室１８に戻され、再び温水となって放熱器１４に送られて循環する温水循環回路を構成している。
【００１８】
上記のような循環回路を備えた給湯機において、循環パイプ１３に接続する放熱器１４には、温水暖房装置を構成するファンコンベクターなどの暖房装置や、床暖房装置や融雪装置を構成する温水パネルなどがあり、缶体１に接続した循環パイプ１３を途中で分岐して１台の給湯機に対して複数台の放熱器１４を接続することができるようになっている。
【００１９】
図２は放熱器１４を暖房装置で構成したものであり、２０は室内に設置する暖房装置枠体、２１は暖房装置枠体２０内に配置した暖房用熱交換器、２２は暖房装置枠体２０内に配置した対流ファンであり、給湯機の缶体１と暖房用熱交換器２１とが往き管１３ａと戻り管１３ｂによって接続されており、循環ポンプ１５を運転すると缶体１の温水が往き管１３ａを介して暖房用熱交換器２１に送られ、対流ファン２２の空気流が暖房用熱交換器２１を通過するときに、暖房用熱交換器２１から放出される温水の熱量によって加熱されて温風となって室内に吹き出している。
【００２０】
温水暖房装置は暖房装置を複数台同時に運転したり１台だけ運転するときがあり、また、個々の暖房装置の暖房出力を高低切換えて運転することがある。複数台の暖房装置のうち１台だけ運転するときや、暖房装置の出力を下げて運転するときには、暖房装置側での放熱量が少なくなるが、給湯機は暖房装置の運転状態とは関係なく温度設定手段１９の設定温度に基づいて運転しているため、暖房装置側で必要とする熱量に対して給湯機から送られる温水の熱量が多くなり、温水の湯温が低下しないまま缶体１に戻ってくる。このため、缶体１の湯温が短時間で燃焼停止温度まで上昇して、バーナ２がすぐに燃焼を停止してしまうことになる。
【００２１】
そして、バーナ２の燃焼が停止すれば、缶体１内の湯温が低下し湯温センサ６が燃焼開始温度を検出してバーナ２に燃焼開始信号が出力されるが、前記のように暖房機側の放熱量が少ないときはバーナ２が再び短時間で燃焼を停止してしまうものであり、短時間の間にバーナ２の燃焼と停止が繰り返されることになり、点火・消火時の騒音や臭気の発生回数が増加してしまう問題がある。
【００２２】
上記のようにバーナ２が短時間の間に燃焼と停止を繰り返すときは、給湯機側の設定温度を低く変更することで対応は可能であるが、運転する放熱器１４の台数の変更や暖房出力の変更のたびに給湯機の設定温度も変更しなければならず、また、適切な設定温度を選択することが難しいため、暖房装置の暖房出力の低下や温風の温度むらを発生させる恐れがあり、給湯機の設定温度を変更することは好ましくない。
【００２３】
この発明は上記の課題を解決するもので、８は制御手段７の燃焼開始信号でカウント開始し燃焼停止信号でカウント停止するタイマ手段、９はタイマ手段８のカウント時間が所定時間以下のときにカウント加算するカウンタ手段、１０はタイマ手段８のカウント時間が所定時間以上のときにカウンタ手段９をリセットするリセット手段である。
【００２４】
Ｓ１はタイマ手段８のカウント時間を入力とする第１判定部であり、制御手段７は湯温センサ６が燃焼開始温度を検出して燃焼開始信号を出力するときにタイマ手段８のカウントを開始し、湯温センサ６が燃焼停止温度を検出して燃焼停止信号を出力するときにタイマ手段８のカウントを停止し、第１判定部Ｓ１でタイマ手段８のカウント時間を確認する。実施例ではタイマ手段８のカウント時間の基準となる所定時間を３分に設定してあり、タイマ手段８のカウント時間が３分以内のときはカウンタ手段９のカウント加算し、タイマ手段８のカウント時間が３分以上のときはカウンタ手段９の値をリセットする。
【００２５】
Ｓ２はカウンタ手段９のカウント数を入力とする第２判定部であり、第１判定部Ｓ１でタイマ手段８が所定時間以下を検出したときは、第２判定部Ｓ２でカウンタ手段９のカウント数が上限値であるかを確認する。実施例ではカウンタ手段９のカウント数の上限値を３に設定してあり、カウント数が上限値である３回未満のときは通常の運転制御を継続し、カウンタ手段９のカウント数が上限値になるまでは、温度設定手段１９の設定温度に基づいてバーナ２の燃焼を制御する。また、カウンタ手段９のカウント数が上限値になる前に第１判定部Ｓ１でタイマ手段９のカウント時間が所定時間以上を検出したときは、カウンタ手段９の値をリセットする。
【００２６】
１１はカウンタ手段９のカウント数が所定回数となったときに作動する温度補正手段であり、バーナ２の燃焼が３回連続して３分以内で停止して、第２判定部Ｓ２でカウンタ手段９のカウント数が上限値である３になったことを確認したときは温度補正手段１１によって制御手段７に設定された燃焼開始温度を低く、燃焼停止温度を高く変更し、制御手段７は変更後の燃焼開始温度と燃焼停止温度に基づいてバーナ２の燃焼を制御する。
【００２７】
このようにバーナ２の燃焼開始温度と燃焼停止温度を変更することによって、バーナ２は通常よりも低い湯温となってから燃焼を開始し、通常よりも高い湯温になるまで燃焼を継続するから、バーナ２の燃焼開始から停止までの温度幅を大きくとることができ、放熱器１４側の放熱量が低下しているときでもバーナ２の燃焼時間を長くできるから、短時間の間にバーナ２が燃焼と停止を繰り返すことがなくなり、点火・消火の回数が少なくなって騒音や臭気の発生を抑えることができるものとなった。
【００２８】
燃焼開始温度と燃焼停止温度を変更するときは暖房装置の暖房出力が低いときであるから、給湯機の温度幅を変更しても暖房装置の暖房出力を低下させることはなく、また、燃焼開始温度と燃焼停止温度の変更後にバーナ２が所定時間以上燃焼したときや、暖房装置の運転台数や暖房出力の変更によってバーナ２の燃焼時間が所定時間より長くなったときは、通常の設定温度に基づく燃焼制御に復帰するから、暖房装置側の暖房出力の変更にも対応できる。
【００２９】
また、図３は放熱器１４を融雪装置で構成したものであり、２３は道路等の路面に埋設して設置された温水パネル、２４は降雪を検知する降雪センサであり、給湯機の缶体１と温水パネル２３とが往き管１３ａと戻り管１３ｂを介して接続されており、降雪センサ２４から降雪の検知信号が出力されると、制御装置７は循環ポンプ１５を駆動して缶体１の温水が温水パネル２３に送られ、温水パネル２３によって温水の熱量を放出することで路面の雪や氷を解かしており、降雪センサ２４から降雪の検知信号の出力がなくなると、バーナ２と循環ポンプ１５の運転を停止する。
【００３０】
上記の融雪装置は、降雪量が多いときや気温が極端に低いときなどには温水パネル２３から缶体１に戻る温水の温度が極端に低くなり、給湯機の能力以上の負荷がかかるため、バーナ２が燃焼を続けていても缶体１の湯温が上昇せず、バーナ２が長時間燃焼し続けることがある。このようにバーナ２が長時間燃焼し続けると、燃焼室３内の同じ箇所にバーナ２の燃焼炎があたり続け、燃焼炎があたる部分にだけ煤が堆積しやすくなり、短期間でバーナ２の燃焼が悪化し、バーナ２のメンテナンスが必要となってしまう。
【００３１】
Ｓ３はバーナ２の燃焼中にタイマ手段８のカウント時間を監視する第３判定部、１２は第３判定部Ｓ３の出力を受けて一定時間作動するキャンセル手段であり、第３判定部Ｓ３でタイマ手段８のカウント時間が設定時間になったことを確認したときは、キャンセル手段１２が作動し、制御手段７が燃焼停止信号を出力してバーナ２の燃焼を停止し、バーナ２が設定時間以上連続燃焼しないようにしており、キャンセル手段１２が作動している一定時間の間は湯温センサ６が燃焼開始温度を検出しても制御手段７が燃焼開始信号を出力せず、バーナ２が停止した状態を維持するものである。実施例では第３判定部Ｓ３で判定する設定時間を２時間、キャンセル手段１２の作動時間を１０秒に設定してあり、バーナ２の燃焼が連続して２時間継続したときは少なくとも１０秒間はバーナ２の燃焼が停止するようになっている。
【００３２】
このように、バーナ２が設定時間燃焼を継続したときにバーナ２の燃焼を一時的に停止させることで、燃焼室３内に煤が堆積する前にバーナ２の燃焼を停止することができ、バーナ２が燃焼を再開するときにはバーナ２の燃焼炎があたる位置が変わるので、バーナ２の燃焼炎が長時間にわたって燃焼室３内の同じ箇所にあたり続けることがなくなって煤の堆積を防ぐことができるようになり、長期間にわたってバーナ２の燃焼状態を維持できるものとなり、メンテナンスの負荷を低減できる。
【００３３】
また、上記のようにバーナ２が長時間燃焼を続けるときは、放熱器１４の出力に対して給湯機の能力が不足しているときであり、そのままの状態で運転を続けると放熱器１４の能力を低下させる恐れがある。図３のように融雪装置を構成しているときには、温水パネル２３に送られる温水が設定温度より低くなると、期待した融雪能力を得ることができず、雪や氷を解かすことができなくなってしまう。
【００３４】
この発明の他の実施例において、第３判定部Ｓ３でタイマ手段８のカウント時間が設定時間になったことを検出したときは、バーナ２の燃焼停止信号は出力せず循環ポンプ１５の運転を停止する。循環ポンプ１５が停止して缶体１内の温水が放熱器１４に流れなくなると缶体１内の湯温が上昇し、缶体１の湯温が燃焼停止温度まで上昇して湯温センサ６がこれを検出すると制御手段７は燃焼停止信号を出力してバーナ２の燃焼を停止すると共に、循環ポンプ１５の運転を再開する。
【００３５】
バーナ２の燃焼が停止して循環ポンプ１５が運転すると、設定温度の温水が放熱器１４に送られ、放熱器１４で温度を低下した温水が缶体１に戻って缶体１の湯温が低下し、湯温センサ６が燃焼開始温度を検出するとバーナ２の燃焼開始信号を出力してバーナ２の燃焼を再開するものであり、バーナ２が一時的に燃焼を停止することで、バーナ２が長時間連続燃焼をすることがなく、煤の堆積を防ぐことができる。
【００３６】
また、循環ポンプ１５が停止したときは缶体１内で温水が滞留して缶体１内の湯温が素早く上昇するので、循環ポンプ１５が停止している時間は短く、放熱器１４の温水の温度を大きく低下させる前に循環ポンプ１５の運転が再開し、循環ポンプ１５の運転が再開するときには設定温度まで上昇した缶体１内の温水が放熱器１４に送られるので、放熱器１４の能力低下を防ぐことができるものとなった。
【図面の簡単な説明】
【００３７】
【図１】この発明の給湯機の構成を示すブロック図である。
【図２】この発明の実施例を示す放熱器を暖房装置で構成した説明図である。
【図３】この発明の実施例を示す放熱器を融雪装置で構成した説明図である。
【図４】この発明の実施例の構成を示すフローチャートである。
【図５】この発明の他の実施例の構成を示すフローチャートである。
【符号の説明】
【００３８】
１    缶体
２    バーナ
３    燃焼室
４    燃焼ガス流路
５    熱交換器
６    湯温センサ
７    制御手段
８    タイマ手段
９    カウンタ手段
１０  リセット手段
１１  温度補正手段
１２  キャンセル手段
１３  循環パイプ
１４  放熱器
１５  循環ポンプ
【図１】
2009109112.tif 000003
【図２】
2009109112.tif 000004
【図３】
2009109112.tif 000005
【図４】
2009109112.tif 000006
【図５】
2009109112.tif 000007